(57)【要約】【課題】部品点数を削減してコストダウンを図った便器用洗浄水排出装置を提供する。【解決手段】操作レバーの回転方向により２種類の洗浄水量を選択できる便器用洗浄水排出装置である。下部に排水孔１１を備えた器具本体１０と、器具本体１０に支持され、排水孔１１を開閉するフロート弁１４と、フロート弁１４の上面に揺動可能に軸支された揺動体２３と、操作レバーと揺動体２３とを連結し、操作レバーの回転方向によって揺動体２３を異なる方向に引き上げる引き紐２６とを備える。器具本体には係止用凸部４０が形成されており、揺動体２３には片側方向に引き上げられたときにはこの係止用凸部４０と当たり、反対側方向に引き上げられたときには係止用凸部４０に接触しないアーム２８を形成する。【選択図】図１
2020070603.tif 000002
【特許請求の範囲】
【請求項１】
操作レバーの回転方向によって２種類の洗浄水量を選択できる便器用洗浄水排出装置であって、
下部に排水孔を備えた器具本体と、
この器具本体に支持され、排水孔を開閉するフロート弁と、
フロート弁の上面に揺動可能に軸支された揺動体と、
操作レバーと揺動体とを連結し、操作レバーの回転方向によって揺動体を異なる方向に引き上げる引き紐とを備え、
器具本体には係止用凸部が形成されており、揺動体には片側方向に引き上げられたときにはこの係止用凸部と当たり、反対側方向に引き上げられたときにはこの係止用凸部に接触しないアームが形成されていることを特徴とする便器用洗浄水排出装置。
【請求項２】
揺動体の揺動軸が器具本体の左右方向であることを特徴とする請求項１に記載の便器用洗浄水排出装置。
【請求項３】
揺動体の揺動軸が器具本体の前後方向であることを特徴とする請求項１に記載の便器用洗浄水排出装置。
【発明の詳細な説明】
【技術分野】
【０００１】
本発明は、操作レバーの回転方向によって２種類の洗浄水量を選択できる便器用洗浄水排出装置に関するものである。
【背景技術】
【０００２】
タンク式の水洗便器は、タンクの上部に設けられた操作レバーの回転方向を選択することによって、洗浄水量を２通りに切り替えることができるものが一般的である。そのため、特許文献１には、排水孔を開閉するフロート弁の上面に、操作レバーの回転方向に応じて作動するリンクと、蓋連結部材とを設けた構造が提案されている。
【０００３】
この特許文献１の構造では、フロート弁の引き上げ方向が少量側であるときには、蓋連結部材の係止片が器具本体の係止用凸部に当たるためフロート弁の引き上げ量が小さく制限される。しかしフロート弁の引き上げ方向が多量側であるときには、引き紐の下部の浮具ガイドがリンクを回転させ、リンクがさらに蓋連結部材を反転させる。その結果、蓋連結部材の係止片が器具本体の係止用凸部に当たらなくなり、フロート弁の引き上げ量を大きくすることができる。
【０００４】
しかしこの特許文献１の構造は、フロート弁の引き上げ量を規制するために、リンク、蓋連結部材、浮具ガイドなどの多くの部品が必要であってコスト高となるという問題があった。
【先行技術文献】
【特許文献】
【０００５】
【特許文献１】特開２０１３−７９５６９号公報
【発明の概要】
【発明が解決しようとする課題】
【０００６】
従って本発明の目的は上記した従来の問題点を解決し、部品点数を削減してコストダウンを図るとともに、故障発生の可能性を小さくした便器用洗浄水排出装置を提供することである。
【課題を解決するための手段】
【０００７】
上記の課題を解決するためになされた本発明は、操作レバーの回転方向によって２種類の洗浄水量を選択できる便器用洗浄水排出装置であって、下部に排水孔を備えた器具本体と、この器具本体に支持され、排水孔を開閉するフロート弁と、フロート弁の上面に揺動可能に軸支された揺動体と、操作レバーと揺動体とを連結し、操作レバーの回転方向によって揺動体を異なる方向に引き上げる引き紐とを備え、器具本体には係止用凸部が形成されており、揺動体には片側方向に引き上げられたときにはこの係止用凸部と当たり、反対側方向に引き上げられたときにはこの係止用凸部に接触しないアームが形成されていることを特徴とするものである。
【０００８】
なお請求項２のように、揺動体の揺動軸を器具本体の左右方向とした構造とすることも、請求項３のように、揺動体の揺動軸を器具本体の前後方向とした構造とすることもできる。
【発明の効果】
【０００９】
本発明の便器用洗浄水排出装置は、操作レバーの回転方向を切り替えることによって、フロート弁の上面の揺動体を直接揺動させ、揺動体に一体に形成されたアームが器具本体に形成された係止用凸部に当たる角度と当たらない角度を選択することができる。このため操作レバーの回転方向によってフロート弁の開口角度を変え、２種類の洗浄水量を選択できるうえ、従来のリンク、蓋連結部材、浮具ガイドなどの多くの部品を省略し、構造を簡素化することができる。
【図面の簡単な説明】
【００１０】
【図１】第１の実施形態を示す分解斜視図である。
【図２】少量排水時の状態を示す正面図である。
【図３】少量排水時の状態を示す側面図である。
【図４】揺動体の斜視図である。
【図５】第１の実施形態のフロート弁を示す斜視図である。
【図６】少量排水時のストッパを示す図である。
【図７】多量排水時のストッパを示す図である。
【図８】フロート弁のアーム保持機構の説明図である。
【図９】第１の実施形態の多量および少量排水時の引き紐の方向を示す正面図である。
【図１０】多量排水時の状態を示す側面図である。
【図１１】第２の実施形態のフロート弁を示す斜視図である。
【図１２】第２の実施形態の揺動体を示す斜視図である。
【図１３】少量排水時の状態を示す側面図である。
【図１４】多量排水時の状態を示す側面図である。
【発明を実施するための形態】
【００１１】
以下に本発明の実施形態を説明する。
図１は第１の実施形態を示す分解斜視図、図２はその少量排水状態における正面図、図３はその側面図である。
【００１２】
これらの図において、１０は下部に排水孔１１を備えた器具本体であり、排水孔１１の後方に垂直に立ち上る筒状部１２が設けられている。この筒状部１２の上方には周知のオーバーフローパイプ１３が取り付けられている。オーバーフローパイプ１３はタンク内の水位がその上端を越えたときに、排水孔１１に流下させる機能を有するものである。筒状部１２の前面には、四角形の係止用凸部４０が形成されている。この係止用凸部４０の役割については後述する。
【００１３】
１４は排水孔１１の上方に設けられ、排水孔１１を開閉するフロート弁である。フロート弁１４は円形の本体１５と、その下面に取り付けられた円形のパッキン１６と、上部半球部材１７と、下部半球部材１８とを備えている。上部半球部材１７と下部半球部材１８とは、フロートを形成する部材である。円形の本体１５の上面の左右には一対のアーム１９が突設されており、それらの先端部の下面に形成された凹部２０を、器具本体１０の筒状部１２の左右両側に突設された軸２１に嵌めてある。このためフロート弁１４は、軸２１を回転中心として上下方向に開閉することができ、下降したときにはパッキン１６が排水孔１１の上端面に水圧により密着し、タンク内の水が流出することを防止する。
【００１４】
また、フロート弁１４の円形の本体１５の上面には、軸受２２が設けられている。この実施形態では前後方向と左右方向にそれぞれ一対の軸受２２が設けられている。
【００１５】
２３はフロート弁１４の上面に取り付けられる揺動体である。図１に示されるように、揺動体２３はフロート弁１４の上部半球部材１７の上部を覆う半球部２４と、軸受２２に軸支される軸部２５とを備えている。図５に示すように、この第１の実施形態では、揺動体２３の軸２５は前後方向の軸受２２に取り付けられている。また揺動体２３はその頂部に、図１に示す引き紐２６の下部を係止するための係止部２７を備えている。引き紐２６の上端はタンクの上部に軸支された図示しない操作レバーに接続されている。このため、操作レバーの操作方向を左右に切り替えることにより、フロート弁１４の上面で揺動体２３を左右に揺動させることができる。なお、引き紐２６としては図示したボールチェーンのほか、ワイヤ等の他の紐状体を用いることもできる。
【００１６】
図４に示すように、揺動体２３の一方の軸部２５にはＬ字状のアーム２８が一体的に形成されており、その先端にはストッパ２９が形成されている。このストッパ２９は平坦な上面３０と、斜面３１を備えている。上記のように揺動体２３を左右に揺動させると、揺動体２３に一体に形成されたアーム２８及びストッパ２９も左右に揺動することとなる。
【００１７】
さらに図６に示すように、フロート弁１４のアーム１９の一方には、Ｌ字状のアーム２８の上昇位置を規制するアーム保持機構３２が形成されている。図６、図７、図８に示すように、このアーム保持機構３２はＬ字状のアーム２８のうちストッパ２９に隣接する部位の上下方向の位置を規制する上下２つの凹部３４、３５を備えている。これらの凹部３４、３５は、一方のアーム１９の内側に突出させた壁３６に形成されている。少量時には図６、図８（Ａ）に示すようにＬ字状のアーム２８が上側の凹部３４に入り、多量時には図７、図８（Ｂ）に示すように下側の凹部３５に入る。これによってＬ字状のアーム２８の位置を安定させ、予期せぬ外力や水流圧などによって開口状態が変化することを防止する。
【００１８】
このほか、引き紐２６には浮玉３３が取り付けられている。これは後述するように、フロート弁１４の開口角度を維持するための部材である。
【００１９】
このように構成された本発明の便器用洗浄水排出装置は、操作レバーの回転方向を少量方向とした場合には、図９に示すように引き紐２６は中心よりも右側方向となり、揺動体２３及びフロート弁１４には右上向きの力が作用する。この場合にはフロート弁１４の上面に配置されたＬ字状のアーム２８の先端のストッパ２９は図６の位置にある。
【００２０】
この図６の状態では、フロート弁１４を少しだけ持ち上げると揺動体２３のストッパ２９が器具本体１０の係止用凸部４０に当たるため、フロート弁１４を図３の位置より高く持ち上げることができない。図３の状態では排水孔１１に対するフロート弁１４の開口角度が小さいために排出流量が少なく、またフロート弁１４上に貯水された水の水圧がフロート弁１４に作用する。このため操作レバーから手を離すと、フロート弁１４は直ぐに閉止しようとする。しかし浮玉３３に閉止方向の力に上回る浮力を持たせておけば、操作レバーから手を離しても開口状態を維持することができる。
【００２１】
このようにしてフロート弁１４が開口状態を維持し、徐々に水位が低下して行くと、浮玉３３が水中から空気中に出てくる。すると浮玉３３による浮力が失われるので開口状態を維持できなくなり、フロート弁１４に掛かる水圧及び浮玉３３の自体の重量によりフロート弁１４が排水孔１１を閉止する。このため、浮玉３３の位置を変えることによって洗浄水量の調整が可能である。
【００２２】
また、操作レバーの回転方向を図９に想像線で示す多量方向とした場合には、揺動体２３の頂部の係止部２７に斜め方向の力が加わり、揺動体２３は軸部２５を中心として左方向に揺動する。このとき揺動体２３のＬ字状のアーム２８も左方向に回転し、アーム２８の先端のストッパ２９は図７の位置に移動する。
【００２３】
この図７の状態では、フロート弁１４を持ち上げてもストッパ２９は器具本体１０の係止用凸部４０に当たらないため、フロート弁１４を図１０に示すように高く持ち上げることができる。図１０の状態では排水孔１１に対するフロート弁１４の開口角度が大きく、排出流量が多くなるため、水圧よりも開口方向への力が勝り、直ぐに閉止することはない。しかし水位がフロート弁１４の位置に差し掛かった時点から、フロート弁１４は水面の低下とともに閉止される。
【００２４】
以上に説明したように、本発明の便器用洗浄水排出装置は、操作レバーの回転方向を切り替えることによって、洗浄水量を選択できる。しかも従来のリンク、蓋連結部材、浮具ガイドなどの多くの部品を省略し、構造を簡素化することができる利点がある。
【００２５】
図１１以下に本発明の第２の実施形態を示す。上記した第１の実施形態では、揺動体２３の軸部２５を、フロート弁１４の上面に形成された前後方向の軸受２２に支持させ、揺動体２３を左右方向に揺動可能とした。しかし第２の実施形態では、図１１に示すように揺動体２３の軸部２５を左右方向の軸受２２に支持させ、揺動体２３を前後方向に揺動可能としている。
【００２６】
図１２に示すように、第２の実施形態の揺動体２３は後方に斜め上向きに延びる平板状のアーム５０を備えている。
【００２７】
第２の実施形態の便器用洗浄水排出装置は、操作レバーまたは器具本体１０の取付位置を変えて、少量洗浄の場合には引き紐２６を図１３に示すように後方に引き、多量洗浄の場合には図１４に示すように前方に引くようになっている。
【００２８】
図１３の場合には揺動体２３は後方に揺動されるので、フロート弁１４を持ち上げたときにアーム５０が器具本体１０の係止用凸部４０に当たり、開口角度が小さくなる。しかし図１４の場合には揺動体２３は前方に揺動されるのでアーム５０は位置を変え、フロート弁１４を持ち上げたときにアーム５０が器具本体１０の係止用凸部４０に当たることはなく、大きく開口させることができる。
【００２９】
この第２の実施形態の便器用洗浄水排出装置も、従来のリンク、蓋連結部材、浮具ガイドなどの多くの部品を省略し、構造を簡素化することができる利点がある。
【符号の説明】
【００３０】
１０  器具本体
１１  排水孔
１２  筒状部
１３  オーバーフローパイプ
１４  フロート弁
１５  本体
１６  パッキン
１７  上部半球部材
１８  下部半球部材
１９  アーム
２０  凹部
２１  軸
２２  軸受
２３  揺動体
２４  半球部
２５  軸部
２６  引き紐
２７  係止部
２８  アーム
２９  ストッパ
３０  上面
３１  斜面
３２  アーム保持機構
３３  浮玉
３４  凹部
３５  凹部
３６  壁
４０  係止用凸部
５０  平板状のアーム
【図１】
2020070603.tif 000003
【図２】
2020070603.tif 000004
【図３】
2020070603.tif 000005
【図４】
2020070603.tif 000006
【図５】
2020070603.tif 000007
【図６】
2020070603.tif 000008
【図７】
2020070603.tif 000009
【図８】
2020070603.tif 000010
【図９】
2020070603.tif 000011
【図１０】
2020070603.tif 000012
【図１１】
2020070603.tif 000013
【図１２】
2020070603.tif 000014
【図１３】
2020070603.tif 000015
【図１４】
2020070603.tif 000016